(57)【要約】【課題】サービス情報配信装置から配信されたサービス情報を表示するに際し利用者の操作又はプログラム制御により変更できるサービス情報配信方法及びシステム装置の提供。【解決手段】サービス情報配信装置２ａと表示制御機能付メモリ装置１ａとの間において、プロトコル処理（ＳＴ３）とサービス情報の配信が行われ（ＳＴ６）、当該プロトコル処理の結果を反映した取引情報及び配信されたサービス情報が記憶手段１１ａに記憶され、利用者の操作又はプログラム制御下にて、表示タイミング制御手段１４からの制御信号の通知（ＳＴ８）を受けた表示制御手段１５ａが、表示手段１３に表示する表示情報を構成する取引情報及びサービス情報の一部又は全部を記憶手段１１ａから取得して（ＳＴ９）表示情報として整えて、表示手段１３に渡して表示させ（ＳＴ１０）、利用者の操作又はプログラム制御により表示情報を変更可能とする、という特徴的構成手法の採用。【選択図】図２
2004206519.tif 000002
【特許請求の範囲】
【請求項１】
サービス提供者により、サービス提供場所に設置されたサービス情報配信装置から利用者に配布された表示制御機能付メモリ装置に対して、サービス情報を配信する方法であって、
サービス提供者と利用者との取引時において、取引情報に基づいてプロトコル処理がなされると共に前記サービス情報配信装置から前記表示制御機能付メモリ装置に対してサービス情報が配信され、当該配信を受けた表示制御機能付メモリ装置において、当該プロトコル処理の結果を反映した取引情報及び当該配信されたサービス情報の一部又は全部が、利用者の操作又はプログラム制御により変更可能に表示される、
ことを特徴とするサービス情報配信方法。
【請求項２】
前記方法は、
取引の終了後においても、前記プロトコル処理の結果を反映した取引情報及び配信されたサービス情報の一部又は全部が、利用者の操作又はプログラム制御により変更可能に表示される、
ことを特徴とする請求項１に記載のサービス情報配信方法。
【請求項３】
前記表示制御機能付メモリ装置は、
表示器付ＩＣカード装置、ＩＣカード装置とＩｒＤＡ通信機能付表示器の組合せ、ＩＣカード装置とブルートゥース通信機能付表示器の組合せ、ＩｒＤＡ通信機能付携帯装置、ブルートゥース通信機能付携帯装置の何れかであり、
前記サービス情報配信装置は、ＩＣカードリーダライタ装置、ＩｒＤＡ通信装置、ブルートゥース通信装置の何れかである、
ことを特徴とする請求項１又は２に記載のサービス情報配信方法。
【請求項４】
サービス提供者により、サービス提供場所に設置されたサービス情報配信装置から利用者に配布された表示制御機能付メモリ装置に対して、サービス情報を配信する方法であって、
前記表示制御機能付メモリ装置がサービス提供領域外から内に入ったことを契機として、前記サービス情報配信装置から当該表示制御機能付メモリ装置に対してサービス情報が配信され、当該配信を受けた表示制御機能付メモリ装置において、当該配信されたサービス情報の一部又は全部が、利用者の操作又はプログラム制御により変更可能に表示される、
ことを特徴とするサービス情報配信方法。
【請求項５】
前記方法は、
サービス提供領域外においても、前記配信されたサービス情報の一部又は全部が、利用者の操作又はプログラム制御により変更可能に表示される、
ことを特徴とする請求項４に記載のサービス情報配信方法。
【請求項６】
前記表示制御機能付メモリ装置は、
ＩＣカード装置とブルートゥース通信機能付表示器の組合せ、アクティブタグ読取機能付携帯装置、ブルートゥース通信機能付携帯装置の何れかであり、
前記サービス情報配信装置は、
アクティブタグ通信装置、ブルートゥース通信装置の何れかである、
ことを特徴とする請求項４又は５に記載のサービス情報配信方法。
【請求項７】
利用者に配布される表示制御機能付メモリ装置と、サービス提供場所に設置されて当該配布された表示制御機能付メモリ装置に対して取引時にサービス情報を配信するサービス情報配信装置とで構築するシステム装置であって、
前記表示制御機能付メモリ装置は、
前記サービス情報配信装置との取引に係る取引情報と当該サービス情報配信装置から配信されたサービス情報とを記憶する記憶手段と、
前記取引に際して当該記憶手段に記憶されている取引情報に基づいて前記サービス情報配信装置と取引に関するプロトコル処理及び演算を行うと共に、当該サービス情報配信装置から配信されたサービス情報を受けて当該取引の結果を反映した取引情報及び当該配信されたサービス情報を前記記憶手段に記憶させる取引演算手段と、
利用者に対して表示情報を表示する表示手段と、
当該表示手段における表示のタイミングを制御する表示タイミング制御手段と、
当該表示タイミング制御手段の制御を受けて前記表示手段に表示すべき表示情報を、前記記憶手段に記憶されている取引情報及びサービス情報の一方又は全部を取得して加工することにより整えて、当該表示情報を前記表示手段に表示させる表示制御手段とを具備する、
ことを特徴とするサービス情報配信システム装置。
【請求項８】
前記サービス情報配信装置は、
前記表示制御機能付メモリ装置に対して配信されるサービス情報と当該表示制御機能付メモリ装置との取引において必要となる取引情報とを記憶する記憶手段と、
前記取引に際して当該記憶手段に記憶されている取引情報に基づいて前記表示制御機能付メモリ装置と取引に関するプロトコル処理及び演算を行うと共に、当該表示制御機能付メモリ装置に対して当該記憶手段に記憶しているサービス情報を配信する取引演算手段とを具備する、
ことを特徴とする請求項７に記載のサービス情報配信システム装置。
【請求項９】
前記表示制御機能付メモリ装置は、
表示器付ＩＣカード装置、ＩＣカード装置とＩｒＤＡ通信機能付表示器の組合せ、ＩＣカード装置とブルートゥース通信機能付表示器の組合せ、ＩｒＤＡ通信機能付携帯装置、ブルートゥース通信機能付携帯装置の何れかであり、
前記サービス情報配信装置は、ＩＣカードリーダライタ装置、ＩｒＤＡ通信装置、ブルートゥース通信装置の何れかである、
ことを特徴とする請求請７又は８に記載のサービス情報配信システム装置。
【請求項１０】
利用者に配布される表示制御機能付メモリ装置と、サービス提供場所に設置されて当該配布された表示制御機能付メモリ装置に対してサービス提供時にサービス情報を配信するサービス情報配信装置とで構築するシステム装置であって、
前記表示制御機能付メモリ装置は、
前記サービス情報配信装置から配信されたサービス情報を記憶する記憶手段と、
前記サービス提供に際して前記サービス情報配信装置から配信されたサービス情報を受けて前記記憶手段に記憶させる通信手段と、
利用者に対して表示情報を表示する表示手段と、
当該表示手段における表示のタイミングを制御する表示タイミング制御手段と、
当該表示タイミング制御手段の制御を受けて前記表示手段に表示すべき表示情報を、前記記憶手段に記憶されているサービス情報の一部又は全部を取得して加工することにより整えて、当該表示情報を前記表示手段に表示させる表示制御手段とを具備する、
ことを特徴とするサービス情報配信システム装置。
【請求項１１】
前記サービス情報配信装置は、
前記表示制御機能付メモリ装置に対して配信されるサービス情報を記憶する記憶手段と、
前記サービス提供に際して当該記憶手段に記憶しているサービス情報を前記表示制御機能付メモリ装置に対して配信する通信手段とを具備する、
ことを特徴とする請求項１０に記載のサービス情報配信システム装置。
【請求項１２】
前記表示制御機能付メモリ装置は、
ＩＣカード装置とブルートゥース通信機能付表示器の組合せ、アクティブタグ読取機能付携帯装置、ブルートゥース通信機能付携帯装置の何れかであり、
前記サービス情報配信装置は、
アクティブタグ通信装置、ブルートゥース通信装置の何れかである、
ことを特徴とする請求項１０又は１１に記載のサービス情報配信システム装置。
【請求項１３】
前記表示制御機能付メモリ装置は、
前記表示タイミング制御手段又は前記表示制御手段の何れかに対して接続され、前記表示手段への表示に係る利用者の入力操作を受付ける入力手段を具備する、
ことを特徴とする請求項７、８、９、１０、１１又は１２に記載のサービス情報配信システム装置。
【発明の詳細な説明】
【０００１】
【発明の属する技術分野】
本発明は、サービス提供場所に設置されたサービス情報配信装置から、利用者に配布された表示制御機能付メモリ装置に対し、サービス提供時にサービス情報を配信し、表示制御機能付メモリ装置にてそのサービス情報を利用者の操作又はプログラム制御により変更可能に表示するサービス情報配信方法及び当該方法の発明の実施に直接使用するサービス情報配信システム装置に関する。
【０００２】
【従来の技術】
従来技術として、端末にかざすと、カード表面のディスプレイ部分に情報を表示できるＩＣカード（非特許文献１）、データ表示機能を搭載した非接触ＩＣカード（非特許文献２）があり、サービス提供場所において利用者に対してサービス情報を配信する方法として、以下の第１、２の方法がある。
【０００３】
第１の方法としては、サービス提供者が、予め、サービス情報を記載した紙媒体の広告紙をサービス提供場所に準備しておき、売買取引時において、サービス提供者が購入物品と共に当該準備しておいた広告紙を利用者である購入者に渡す手法がある。
【０００４】
第２の方法としては、サービス提供者が、予め、リライトカードをポイントカードとして利用者に配布すると共に、そのリライトカードにサービス情報を配信する為の専用装置をサービス提供場所に準備しておき、取引時において、その専用装置により、リライトカードのポイントを更新すると共にカード券面にサービス情報を書込む手法がある。
【０００５】
【非特許文献１】
「国内初「ディスプレイ付非接触ＩＣカード」開発  端末にかざすと、カード上に情報を表示  電子マネー、電子チケットなどの小額決済や認証用途に最適  ２００２年９月６日」＜ｈｔｔｐ：／／ｗｗｗ．ｔｏｐｐａｎ．ｃｏ．ｊｐ／ａｂｏｕｔｕｓ／ｒｅｌｅａｓｅ／ａｒｔｉｃｌｅ６１１．ｈｔｍｌ＞
【０００６】
【非特許文献２】
「２０００年６月２３日  データ表示機能付き非接触ＩＣカードを開発」＜ｈｔｔｐ：／／ｗｗｗ．ｄｎｐ．ｃｏ．ｊｐ／ｊｉｓ／ｎｅｗｓ／２０００／２００００６２３＿２．ｈｔｍｌ＞
【０００７】
【発明が解決しようとする課題】
しかし、第１の方法に対しては、配布後、表示内容を利用者の操作やプログラム制御により変更することができないこと、サービス提供場所に準備する紙媒体についての過不足につき管理コストがかかること、能動的に紙媒体を手渡すので、人手によらざる得ず、交通改札といった自動化された取引には不適用であること、といった問題がある。
【０００８】
第２の方法に対しては、配信後、表示内容を利用者の操作やプログラム制御により変更することができないこと、リライトカードへの書込み処理は処理速度が遅く、交通改札などの処理速度の性能が求められる取引には不適用であること、といった問題がある。
【０００９】
ここで、本発明の解決すべき主要な目的は以下の通りである。
本発明の第１の目的は、サービス情報の配信を受けた後に、表示内容を利用者の操作やプログラム制御により変更可能とする、サービス情報配信方法及びシステム装置を提供することにある。
【００１０】
本発明の第２の目的は、処理速度を要求された取引及び自動化された取引においても適用可能となる、サービス情報配信方法及びシステム装置を提供することにある。
【００１１】
本発明の第３の目的は、サービス提供場所に準備する為の管理コストを省ける、サービス情報配信方法及びシステム装置を提供することにある。
【００１２】
本発明の他の目的は、明細書、図面、特に特許請求の範囲における各請求項の記載から自ずと明らかとなろう。
【００１３】
【課題を解決するための手段】
本発明方法は、上記課題の解決に当たり、サービス提供時において、サービス提供場所に設置されたサービス情報配信装置から利用者に配布されて所持している表示制御機能付メモリ装置に対してサービス情報が配信され、当該配信されたサービス情報の一部又は全部が当該表示制御機能付メモリ装置に表示され、利用者の操作又はプログラム制御により、当該表示された内容が変更される、という特徴的構成手法を講じる。
【００１４】
本発明システム装置は、上記課題の解決に当たり、利用者に配布される表示制御機能付メモリ装置と、サービス提供場所に設置され表示制御機能付メモリ装置に対してサービス情報を配信するサービス情報配信装置とからなり、当該表示制御機能付メモリ装置が、当該サービス情報配信装置から配信されたサービス情報を記憶する記憶手段と、当該サービス情報配信装置から配信されたサービス情報を受けて当該記憶手段に記憶させる手段と、利用者に対して表示情報を表示する表示手段と、当該表示手段における表示タイミングを制御する表示タイミング制御手段と、当該表示タイミング制御手段の制御を受けて当該表示手段に表示すべき表示情報を、当該記憶手段に記憶されているサービス情報を取得して加工することにより整えて、当該表示情報を前記表示手段に表示させる表示制御手段とを具備する、という特徴的構成手段を講じる。
【００１５】
更に、具体的詳細に述べると、当該課題の解決では、本発明が次に列挙する新規な特徴的構成手法及び手段を採用することにより、上記目的を達成するようになされる。
【００１６】
本発明方法の第１の特徴は、サービス提供者により、サービス提供場所に設置されたサービス情報配信装置から利用者に配布された表示制御機能付メモリ装置に対して、サービス情報を配信する方法であって、サービス提供者と利用者との取引時において、取引情報に基づいてプロトコル処理がなされると共に前記サービス情報配信装置から前記表示制御機能付メモリ装置に対してサービス情報が配信され、当該配信を受けた表示制御機能付メモリ装置において、当該プロトコル処理の結果を反映した取引情報及び当該配信されたサービス情報の一部又は全部が、利用者の操作又はプログラム制御により変更可能に表示されてなる、サービス情報配信方法の構成採用にある。
【００１７】
本発明方法の第２の特徴は、上記本発明方法の第１の特徴における前記方法が、取引の終了後においても、前記プロトコル処理の結果を反映した取引情報及び配信されたサービス情報の一部又は全部が、利用者の操作又はプログラム制御により変更可能に表示されてなる、サービス情報配信方法の構成採用にある。
【００１８】
本発明方法の第３の特徴は、上記本発明方法の第１又は第２の特徴における前記表示制御機能付メモリ装置が、表示器付ＩＣカード装置、ＩＣカード装置とＩｒＤＡ通信機能付表示器の組合せ、ＩＣカード装置とブルートゥース通信機能付表示器の組合せ、ＩｒＤＡ通信機能付携帯装置、ブルートゥース通信機能付携帯装置の何れかであり、前記サービス情報配信装置は、ＩＣカードリーダライタ装置、ＩｒＤＡ通信装置、ブルートゥース通信装置の何れかである、サービス情報配信方法の構成採用にある。
【００１９】
本発明方法の第４の特徴は、サービス提供者により、サービス提供場所に設置されたサービス情報配信装置から利用者に配布された表示制御機能付メモリ装置に対して、サービス情報を配信する方法であって、前記表示制御機能付メモリ装置がサービス提供領域外から内に入ったことを契機として、前記サービス情報配信装置から当該表示制御機能付メモリ装置に対してサービス情報が配信され、当該配信を受けた表示制御機能付メモリ装置において、当該配信されたサービス情報の一部又は全部が、利用者の操作又はプログラム制御により変更可能に表示されてなる、サービス情報配信方法の構成採用にある。
【００２０】
本発明方法の第５の特徴は、上記本発明方法の第４の特徴における前記方法が、サービス提供領域外においても、前記配信されたサービス情報の一部又は全部が、利用者の操作又はプログラム制御により変更可能に表示されてなる、サービス情報配信方法の構成採用にある。
【００２１】
本発明方法の第６の特徴は、上記本発明方法の第４又は第５の特徴における前記表示制御機能付メモリ装置が、ＩＣカード装置とブルートゥース通信機能付表示器の組合せ、アクティブタグ読取機能付携帯装置、ブルートゥース通信機能付携帯装置の何れかであり、前記サービス情報配信装置は、アクティブタグ通信装置、ブルートゥース通信装置の何れかである、サービス情報配信方法の構成採用にある。
【００２２】
一方、本発明システム装置の第１の特徴は、利用者に配布される表示制御機能付メモリ装置と、サービス提供場所に設置されて当該配布された表示制御機能付メモリ装置に対して取引時にサービス情報を配信するサービス情報配信装置とで構築するシステム装置であって、前記表示制御機能付メモリ装置が、前記サービス情報配信装置との取引に係る取引情報と当該サービス情報配信装置から配信されたサービス情報とを記憶する記憶手段と、前記取引に際して当該記憶手段に記憶されている取引情報に基づいて前記サービス情報配信装置と取引に関するプロトコル処理及び演算を行うと共に、当該サービス情報配信装置から配信されたサービス情報を受けて当該取引の結果を反映した取引情報及び当該配信されたサービス情報を当該記憶手段に記憶させる取引演算手段と、利用者に対して表示情報を表示する表示手段と、当該表示手段における表示のタイミングを制御する表示タイミング制御手段と、当該表示タイミング制御手段の制御を受けて前記表示手段に表示すべき表示情報を、前記記憶手段に記憶されている取引情報及びサービス情報の一方又は全部を取得して加工することにより整えて、当該表示情報を前記表示手段に表示させる表示制御手段とを具備してなる、サービス情報配信システム装置の構成採用にある。
【００２３】
本発明システム装置の第２の特徴は、上記本発明システム装置の第１の特徴における前記サービス情報配信装置が、前記表示制御機能付メモリ装置に対して配信されるサービス情報と当該表示制御機能付メモリ装置との取引において必要となる取引情報とを記憶する記憶手段と、前記取引に際して当該記憶手段に記憶されている取引情報に基づいて前記表示制御機能付メモリ装置と取引に関するプロトコル処理及び演算を行うと共に、当該表示制御機能付メモリ装置に対して当該記憶手段に記憶しているサービス情報を配信する取引演算手段とを具備してなる、サービス情報配信システム装置の構成採用にある。
【００２４】
本発明システム装置の第３の特徴は、上記本発明システム装置の第１又は第２の特徴における前記表示制御機能付メモリ装置が、表示器付ＩＣカード装置、ＩＣカード装置とＩｒＤＡ通信機能付表示器の組合せ、ＩＣカード装置とブルートゥース通信機能付表示器の組合せ、ＩｒＤＡ通信機能付携帯装置、ブルートゥース通信機能付携帯装置の何れかであり、前記サービス情報配信装置は、ＩＣカードリーダライタ装置、ＩｒＤＡ通信装置、ブルートゥース通信装置の何れかである、サービス情報配信システム装置の構成採用にある。
【００２５】
本発明システム装置の第４の特徴は、利用者に配布される表示制御機能付メモリ装置と、サービス提供場所に設置されて当該配布された表示制御機能付メモリ装置に対してサービス提供時にサービス情報を配信するサービス情報配信装置とで構築するシステム装置であって、前記表示制御機能付メモリ装置が、前記サービス情報配信装置から配信されたサービス情報を記憶する記憶手段と、前記サービス提供に際して前記サービス情報配信装置から配信されたサービス情報を受けて前記記憶手段に記憶させる通信手段と、利用者に対して表示情報を表示する表示手段と、当該表示手段における表示のタイミングを制御する表示タイミング制御手段と、当該表示タイミング制御手段の制御を受けて前記表示手段に表示すべき表示情報を、前記記憶手段に記憶されているサービス情報の一部又は全部を取得して加工することにより整えて、当該表示情報を前記表示手段に表示させる表示制御手段とを具備してなる、サービス情報配信システム装置の構成採用にある。
【００２６】
本発明システム装置の第５の特徴は、上記本発明システム装置の第４の特徴における前記サービス情報配信装置が、前記表示制御機能付メモリ装置に対して配信されるサービス情報を記憶する記憶手段と、前記サービス提供に際して当該記憶手段に記憶しているサービス情報を前記表示制御機能付メモリ装置に対して配信する通信手段とを具備してなる、サービス情報配信システム装置の構成採用にある。
【００２７】
本発明システム装置の第６の特徴は、上記本発明システム装置の第４又は第５の特徴における前記表示制御機能付メモリ装置が、ＩＣカード装置とブルートゥース通信機能付表示器の組合せ、アクティブタグ読取機能付携帯装置、ブルートゥース通信機能付携帯装置の何れかであり、前記サービス情報配信装置は、アクティブタグ通信装置、ブルートゥース通信装置の何れかである、サービス情報配信システム装置の構成採用にある。
【００２８】
本発明システム装置の第７の特徴は、上記本発明システム装置の第１、第２、第３、第４、第５又は第６の特徴における前記表示制御機能付メモリ装置が、前記表示タイミング制御手段又は前記表示制御手段の何れかに対して接続され、前記表示手段への表示に係る利用者の入力操作を受付ける入力手段を具備してなる、サービス情報配信システム装置の構成採用にある。
【００２９】
【発明の実施の形態】
以下、図面を参照して本発明の実施の形態をシステム装置例及び方法例について説明する。
【００３０】
（システム装置例）
図１は、本発明の一実施形態であるサービス情報配信システム装置の全体構成図である。
サービス情報配信システム装置αは、表示制御機能付メモリ装置１とサービス情報配信装置２とからなる。
【００３１】
表示制御機能付メモリ装置１は、サービス提供者により予めサービス享受者である利用者に対して配布される装置である。
その例としては、サービス情報配信システム装置αが取引連動型では、表示制御機能付メモリ装置１は、表示器付ＩＣカード装置、ＩＣカード装置とＩｒＤＡ通信機能付表示器の組合せ、ＩＣカード装置とブルートゥース通信機能付表示器の組合せ、ＩｒＤＡ通信機能付携帯装置、ブルートゥース通信機能付携帯装置などが挙げられる。
【００３２】
また、サービス情報配信システム装置αが空間連動型では、ＩＣカード装置とブルートゥース通信機能付表示器の組合せ、アクティブタグ読取機能付携帯装置、ブルートゥース通信機能付携帯装置などが挙げられる。
サービス情報配信装置２は、サービス提供者によりサービス提供場所に予め設置される装置である。
【００３３】
その例としては、サービス情報配信システム装置αが取引連動型では、ＩＣカードリーダライタ装置（接触通信機能付、非接触通信機能付何れも可）、ＩｒＤＡ通信装置、ブルートゥース通信装置などが挙げられる。
また、サービス情報配信システム装置αが空間連動型では、アクティブタグ通信装置、ブルートゥース通信装置などが挙げられる。
【００３４】
ここで、取引連動型（取引連動方式）とは、後述の実施例１に該当するタイプで、サービス情報配信装置２から表示制御機能付メモリ装置１に対してサービス情報が配信される際に、サービス情報配信装置２と表示制御機能付メモリ装置１との間で取引に関するプロトコル処理がなされるタイプをいい、空間連動型（空間連動方式）とは、後述の実施例２に該当するタイプで、サービス情報配信装置２から表示制御機能付メモリ装置１に対してサービス情報が配信される際に、取引連動型のような取引に関するプロトコル処理が行われないタイプであって、単に、サービス提供時が空間的に定まるタイプをいう。
【００３５】
（方法例）
本発明の一実施形態であるサービス情報配信方法を、上記システム装置例に適用した場合につき説明する。
サービス情報配信方法は、予めの準備段階として、サービス提供者による、利用者への表示制御機能付メモリ装置１の配布と、サービス提供場所へのサービス情報配信装置２の設置とが行われる。
【００３６】
サービス提供時において、サービス情報配信装置２は、表示制御機能付メモリ装置１にサービス情報の配信を行う。
なお、サービス情報の配信は、サービス情報配信装置２により表示制御機能付メモリ装置１の存在を検知して行うようにしてもよい。
【００３７】
また、サービス情報の配信は、かかる検知を問わず絶えず配信するようにしてもよい。
また、表示制御機能付メモリ装置１がサービス情報配信装置２に何らかの情報なりデータを送信し、その送信された情報なりデータに関する取引に際して送信されてもよい。
【００３８】
その配信を受けた表示制御機能付メモリ装置１は、当該受けたサービス情報の一部又は全部を表示する。
そして、その表示された内容は、利用者の操作又はプログラム制御により変更可能とする。
【００３９】
サービス提供後においても、利用者の操作又はプログラム制御により、表示制御機能付メモリ装置１にそのサービス情報の一部又は全部を表示する。
そして、その表示された内容は、利用者の操作又はプログラム制御により変更可能とする。
【００４０】
かかる手法方式により、従来の技術においては、配信後、表示内容を利用者の操作又はプログラム制御により変更できなかったのに対して、本方法例によれば、表示制御機能付メモリ装置１から動的に表示内容を決めることができる為に、利用者の操作又はプログラム制御により表示内容を変更することが可能となる。
【００４１】
従来の技術においては、紙媒体を配るという手法を採ると、その過不足に関する管理にコストがかかったのに対して、本方法例によれば、サービス提供時において紙媒体などの物理媒体を使用しない為、その過不足といった事象が発生せず、紙媒体などの物理媒体の管理にかかるコストを負担する必要がなくなる。
【００４２】
従来の技術においては、紙媒体を配るという手法を採ると、交通改札時などにおいて人手により配布することとなり、能動的にサービス情報を提供することができなかったのに対して、本方法例によれば、サービス情報を表示制御機能付メモリ装置１に配信するので、人手による運用でなくても能動的に配信することができる。
【００４３】
従来の技術においては、リライトカードを用いると、交通改札などに求められる処理速度の性能を満たせなかったのに対して、本方法例によれば、サービス情報を表示制御機能付メモリ装置１に配信するので、処理速度の性能を満たすことができる。
【００４４】
【実施例】
（実施例１）
実施例１として取引連動型サービス情報配信を取上げ、表示制御機能付メモリ装置１がプリペイドカードであり、サービス情報配信装置がサービス提供場所である交通改札口に設置されている場合を説明する。
【００４５】
［実施例１に対応したシステム装置例］
図２は、本発明の実施例１に係る取引連動型サービス情報配信における処理フローを各装置の内部構成と共に示した図である。
記憶手段１１ａは、サービス情報配信装置２ａとの取引に係る取引情報とサービス情報配信装置２ａから配信されたサービス情報とを記憶する手段である。
【００４６】
取引演算手段１２ａは、取引に際して記憶手段１１ａに記憶されている取引情報に基づいてサービス情報配信装置２ａと取引に関するプロトコル処理及び演算を行い、サービス情報配信装置２ａから配信されるサービス情報を受けて当該取引の結果を反映した取引情報及び当該配信されたサービス情報を記憶手段１１ａに記憶させる手段である。
【００４７】
表示手段１３は、利用者に対し表示情報を表示する手段である。
表示タイミング制御手段１４は、表示手段１３における表示のタイミングを制御する手段である。
表示制御手段１５ａは、表示タイミング制御手段１４の制御を受けて表示手段１３に表示すべき表示情報を、記憶手段１１ａに記憶されている取引情報及びサービス情報の一方又は全部を取得して加工することにより整えて、表示手段１３に渡し、当該表示情報を表示手段１３に表示させる手段である。
【００４８】
記憶手段２１ａは、表示制御機能付メモリ装置１ａに対して配信されるサービス情報と表示制御機能付メモリ装置１ａとの取引において必要となる取引情報とを記憶する手段である。
【００４９】
取引演算手段２２ａは、取引に際して記憶手段２１ａに記憶されている取引情報に基づいて表示制御機能付メモリ装置１ａと取引に関するプロトコル処理及び演算を行い、記憶手段２１ａにその取引の結果を反映した取引情報を記憶させると共に、表示制御機能付メモリ装置１ａに対して記憶手段２１ａに記憶しているサービス情報を配信する手段である。
【００５０】
［実施例１に対応した方法例］
以上の実施例１に対応したシステム装置例αに適用した方法例の実施例を説明する。本実施例の方法例は、取引連動方式を採用した場合である。
サービス提供前に、予めサービス提供者（ここでは、交通事業者）は、プリペイドカードとして、表示制御機能付メモリ装置１ａを利用者に配布する。
その配布を受けた利用者にあっては、配布された表示制御機能付メモリ装置１ａに電子的な価値をチャージしておく。
【００５１】
また、サービス提供者は、サービス提供場所（ここでは、駅）に、表示制御機能付メモリ装置１ａにサービス情報を配信する為にサービス情報配信装置２ａを設置する。
【００５２】
サービス提供時（ここでは、交通改札時）においては、サービス情報配信装置２ａの取引演算手段２２ａは、記憶手段２１ａに記憶されている取引情報を取得して（ＳＴ１）、表示制御機能付メモリ装置１ａの記憶手段１１ａに記憶されている取引情報を取得した（ＳＴ２）取引演算手段１２ａと取引に関するプロトコル処理を行う（ＳＴ３）。
【００５３】
そして、記憶手段２１ａにそのプロトコル処理の結果を反映した取引情報を記憶手段２１ａに記憶させる（ＳＴ４）と共に、記憶手段２１ａに記憶されているサービス情報を取得して（ＳＴ５）、表示制御機能付メモリ装置１ａに対して配信する（ＳＴ６）。
【００５４】
ここで、取引情報としては、例えば、改札を出たとか、入ったとかの情報、前述のチャージされた電子的な価値に関する情報などを挙げることができ、サービス情報としては、例えば、時刻表や遅延のお知らせなどの時刻情報、地図などの位置情報、割引やセールのお知らせなどの広告情報などを挙げることができる。
【００５５】
その配信を受けた表示制御機能付メモリ装置１ａは、特定の端子電圧、磁界強度などをモニタリングすることにより、取引の完了を検知し、配信された取引情報、サービス情報について一部又は全てを表示し、更に、利用者の操作又はプログラム制御により表示内容の切替えを行う。
【００５６】
この点につき詳説する。
取引演算手段１２ａは、取引の完了を検知すると、配信された取引情報及びサービス情報を記憶手段１１ａに記憶させる（ＳＴ７）。
【００５７】
そして、表示タイミング制御手段１４のプログラム制御の下において、その制御信号の通知（ＳＴ８）を受けた表示制御手段１５ａが、表示手段１３に表示する表示情報を構成する取引情報及びサービス情報の一部又は全部を記憶手段１１ａから取得して（ＳＴ９）加工することにより表示情報として整えて、表示情報１３に渡して表示させる（ＳＴ１０）。
【００５８】
そして、利用者の操作又は表示タイミング制御手段１４に内蔵されたプログラムの制御により表示手段１３に表示する内容を切替えるように、前述のＳＴ８乃至ＳＴ１０と同様に、取引情報及びサービス情報の一部又は全部を取得して加工することにより表示情報として整えて表示手段１３に渡して表示させる。
【００５９】
サービス提供終了後（ここでは、改札後）においては、利用者の操作又は表示タイミング制御手段１４に内蔵されたプログラムの制御により、配信されて記憶手段１１ａに記憶されている取引情報及びサービス情報の一部又は全てが表示手段１３に表示される。
そして、利用者の操作又は表示タイミング制御手段１４に内蔵されたプログラムの制御により、その表示内容が切替えられる（ＳＴ８乃至１０に準じる）。
【００６０】
（実施例２）
実施例２として空間連動型サービス情報配信を取上げ、表示制御機能付メモリ装置１ｂがサービスカードであり、サービス情報配信装置２ｂがサービス提供場所である店舗に設置されている場合を説明する。
【００６１】
［実施例２に対応したシステム装置例］
図３は、本発明の実施例２に係る空間連動型サービス情報配信における処理フローを、各装置の内部構成と共に示した図である。
まず、表示制御機能付メモリ装置１ｂの内部構成を説明する。
記憶手段１１ｂは、サービス情報配信装置２ｂから配信されたサービス情報を記憶する手段である。
【００６２】
通信手段１２ｂは、サービス提供に際してサービス情報配信装置２ｂから配信されたサービス情報を受けて記憶手段１１ｂに記憶させる手段である。
表示手段１３は、利用者に対し表示情報を表示する手段である。
表示タイミング制御手段１４は、表示手段１３における表示のタイミングを制御する手段である。
【００６３】
表示制御手段１５ｂは、表示タイミング制御手段１４の制御を受けて表示手段１３に表示すべき表示情報を、記憶手段１１ｂに記憶されているサービス情報の一部又は全部を取得して加工することにより整えて、表示手段１３に渡し、当該表示情報を表示手段１３に表示させる手段である。
【００６４】
次にサービス情報配信装置２ｂの内部構成を説明する。
記憶手段２１ｂは、表示制御機能付メモリ装置１ｂに対して配信されるサービス情報を記憶する手段である。
通信手段２２ｂは、サービス提供に際して、記憶手段２１ｂに記憶しているサービス情報を表示制御機能付メモリ装置１ｂに対して配信する手段である。
【００６５】
［実施例２に対応した方法例］
以上の実施例２に対応したシステム装置例αに適用した方法例の実施例を説明する。本実施例の方法例は、空間連動方式を採用した場合である。
サービス提供前に、予めサービス提供者（ここでは、流通事業者）は、サービスカードとして、表示制御機能付メモリ装置１ｂを利用者に配布すると共に、サービス提供の場所（ここでは、店舗）に、表示制御機能付メモリ装置１ｂにサービス情報を配信する為にサービス情報配信装置２ｂを設置する。
【００６６】
サービス提供時（ここでは、利用者の入店時）においては、通信手段２２ｂは、記憶手段２１ｂに記憶しているサービス情報（時刻情報、地図などの位置情報、割引やセールのお知らせなどの広告情報など）を得て（ＳＴ１１）、表示制御機能付メモリ装置１ｂに対して配信する（ＳＴ１２）。
その配信を受けた表示制御機能付メモリ装置１ｂは、通信手段１２ｂにより配信されたサービス情報を受信し、記憶手段１１ｂに記憶させる（ＳＴ１３）。
【００６７】
それと共に、表示タイミング制御手段１４の制御の下において、その制御信号の通知（ＳＴ１４）を受けた表示制御手段１５ｂが、表示手段１３に表示する表示情報を構成するサービス情報の一部又は全部を記憶手段１１ｂから取得して（ＳＴ１５）加工することにより表示情報として整えて、表示手段１３に渡して表示させる（ＳＴ１６）。
【００６８】
そして、利用者の操作又は表示タイミング制御手段１４に内蔵されたプログラムの制御により、表示手段１３に表示する内容を切替えるように、前述のＳＴ１４乃至ＳＴ１６と同様に、サービス情報の一部又は全部を取得して加工することにより表示情報として整えて表示手段１３に渡して表示させる。
【００６９】
サービス提供終了後（ここでは、出店後）においては、利用者の操作又は表示タイミング制御手段１４に内蔵されたプログラムの制御により、配信されて記憶手段１１ｂに記憶されているサービス情報の一部又は全てが表示手段１３に表示される。
そして、更には、利用者の操作又は表示タイミング制御手段１４に内蔵されたプログラムの制御により、その表示内容が切替えられる（ＳＴ１４乃至ＳＴ１６に準じる。）。
【００７０】
なお、「利用者の操作」については、表示制御機能付メモリ装置１ａ、１ｂにある入力手段（図２、３に図示していない）に対して利用者が所定の入力操作などを行うことにより、例えば、表示タイミング制御手段１４、表示制御手段１５ａ、１５ｂの何れかに対して信号が入力され、表示手段１３に対して表示させたり、表示内容を変更したりすることができるように構成される。
【００７１】
以上、本発明の実施の形態であるシステム装置例及び方法例並びに実施例を説明したものの、本発明の目的を達し、下記する効果を奏する範囲において、適宜変更して実施可能である。
【００７２】
【発明の効果】
本発明によれば、サービス情報配信後において利用者の操作又はプログラム制御により表示内容が変更可能となり、紙媒体などの物理媒体が必要でない故過不足という事象そのものがあり得ず、自動化された取引とか処理速度性能が求められる取引においても適用領域を広げることができるといった優れた効果を奏する。
【図面の簡単な説明】
【図１】本発明の一実施形態であるサービス情報配信システム装置の全体構成図である。
【図２】本発明の実施例１に係る取引連動型サービス情報配信における処理フローと各装置の内部構成を示した図である。
【図３】本発明の実施例２に係る空間連動型サービス情報配信における処理フローと各装置の内部構成を示した図である。
【符号の説明】
α…サービス情報配信システム装置
１、１ａ、１ｂ…表示制御機能付メモリ装置
１１ａ、１１ｂ、２１ａ、２１ｂ…記憶手段
１２ａ、２２ａ…取引演算手段
１２ｂ、２２ｂ…通信手段
１３…表示手段
１４…表示タイミング制御手段
１５ａ、１５ｂ…表示制御手段
２、２ａ、２ｂ…サービス情報配信装置
【図１】
2004206519.tif 000003
【図２】
2004206519.tif 000004
【図３】
2004206519.tif 000005